(57)【要約】【課題】種々の径のレンズ鏡筒Ｒに軸線を一致させて簡単に取り付けることができ、しかも側方に突出するような部位をなくすことのできる着脱式の照明装置１００を提供する。【解決手段】内部に光源を保持し、該光源の光を表面側に設けられた複数の光射出孔１ｂから射出する環状をなす光源保持体１と、前記光源に電力を供給する電池ＰＳを内部に保持するとともに、前記光源保持体１の裏面側に軸線を一致させて固定された環状をなす電池保持体２と、前記光源保持体１又は電池保持体２の内周面からラジアル方向に突没可能に設けられて前記レンズ鏡筒Ｒを周囲から把持する３以上の把持部材３と、外部操作によって前記把持部材３を均等に突没させる操作機構４とを設けた。【選択図】図１
2013195999.tif 000002
【特許請求の範囲】
【請求項１】
レンズ鏡筒の外側に取り付けられる環状をなすものであって、
光源を保持し、該光源の光を表面側から射出する環状をなす光源保持体と、
前記光源に電力を供給する電池を内部に保持するとともに、前記光源保持体の裏面側に固定された環状をなす電池保持体と、
前記光源保持体又は電池保持体の内周面からラジアル方向に突没可能に設けられて前記レンズ鏡筒の外周部を把持する複数の把持部材と、
外部操作によって前記把持部材を突没させる操作機構とを具備していることを特徴とする照明装置。
【請求項２】
前記把持部材が前記電池保持体の内周面から突没する請求項１記載の照明装置。
【請求項３】
前記操作機構が、弾性復元力によって前記把持部材を突出方向に付勢する弾性部材をさらに具備している請求項１又は２記載の照明装置。
【請求項４】
前記把持部材が、前記電池保持体に設けられたラジアル方向に延びる第１案内部に沿ってスライドするものであり、
前記操作機構が、前記光源保持体及び電池保持体の間に配置されるとともに、軸線を中心に回転可能に構成されたリング操作盤と、前記各把持部材に対応させて前記リング操作盤にそれぞれ設けられた、ラジアル方向に対して斜めに延びる第２案内部と、前記把持部材に設けられて前記第２案内部にスライド可能に係合する係合部とを具備するものであり、
前記リング操作盤を回転操作することによって前記第２案内部から前記係合部に伝えられるラジアル方向成分の分力により、前記把持部材が突没するように構成してある請求項１乃至３いずれか記載の照明装置。
【請求項５】
前記光源保持体と前記電池保持体とを接続する軸線方向に延びる１又は複数のボス部材をさらに具備するとともに、前記リング操作盤には、その回転操作範囲内で前記ボス部材を貫通させる部分円弧状の貫通孔が設けてあり、前記電池と光源とを接続する電気ケーブルを前記ボス部材に沿わせるようにして前記貫通孔を貫通させてある請求項４記載の照明装置。
【請求項６】
前記弾性部材が、前記リング操作盤と前記光源保持体又は電池保持体との間に架け渡されてその復元力により、該リング操作盤を前記把持部材が突出する方向に回転付勢するものである請求項４又は５記載の照明装置。
【請求項７】
前記光源保持体と前記電池保持体との間に円筒部材が設けてあり、該円筒部材に前記リング操作盤が回転可能に装着してある請求項４乃至６いずれか記載の照明装置。
【請求項８】
全体として所定厚みを有する概略円環状をなすものであり、実質的に把持部材のみが内周面から突出するように構成してある請求項１乃至７いずれか記載の照明装置。
【発明の詳細な説明】
【技術分野】
【０００１】
本発明は、カメラや顕微鏡などレンズ鏡筒に着脱可能に取り付けられて、撮像乃至観察対象物を照明したり、フォーカシングライトやターゲットライト等として使用したりすることができるリング状の照明装置に関するものである。
【背景技術】
【０００２】
この種の照明装置としては、例えば、特許文献１〜５に記載されたものが知られている。このうち、特許文献１や、特許文献２、特許文献３に記載された照明装置は、フードなどを取り付けるためにレンズ鏡筒の先端部に予め設けてあるネジ部を利用して取着できるように構成してある。また、特許文献４に示す照明装置は、カメラのレンズ鏡筒に単に外嵌させただけの構成であり、特許文献５に示す照明装置は、レンズ鏡筒に外嵌させたうえで、１箇所に設けた止めネジをラジアル方向に突出させることによって固定できるように構成されている。
【先行技術文献】
【特許文献】
【０００３】
【特許文献１】特開２００３−１７７４５４号公報
【特許文献２】特開２００６−２９２７９４号公報
【特許文献３】特開２００１−３５６４０３号公報
【特許文献４】特開２００５−２４１９９５号公報
【特許文献５】特開２００７−２５６８２号公報
【発明の概要】
【発明が解決しようとする課題】
【０００４】
しかしながら、上記いずれの照明装置も、ケーブル接続された電源が別に必要であったり、電池内蔵であったとしても電池ボックスがラジアル方向の外側に突出させてあったりして、前記ケーブルや突出した電池ボックスが何かに引っ掛かったりする恐れがあるうえ、外観上すっきりしないという不具合もある。
【０００５】
また、いずれの照明装置も、所定の鏡筒のみに専用に取り付け可能な構成であり、サイズや径が実質的に異なる鏡筒には、取り付けることができない。
本発明は、かかる問題点を解決すべくなされたものであって、その主たる所期課題は、種々の径のレンズ鏡筒に簡単に取り付けることができ、しかも側方に突出するような部位をなくすことのできる着脱式の照明装置を提供することにある。
【課題を解決するための手段】
【０００６】
すなわち、本発明に係る照明装置は、カメラ等のレンズ鏡筒の外周部に取り付けられる環状をなすものであって、光源を保持し、該光源の光を表面側から射出する環状をなす光源保持体と、前記光源に電力を供給する電池を内部に保持するとともに前記光源保持体の裏面側に固定された環状をなす電池保持体と、前記電池保持体又は光源保持体の内周面からラジアル方向に突没可能に設けられて前記レンズ鏡筒を周囲から把持する複数の把持部材と、外部操作によって前記把持部材を突没させる操作機構とを具備していることを特徴とする。
【０００７】
このようなものであれば、複数の把持部材が操作機構の操作によって突出してレンズ鏡筒を周囲から把持するので、レンズ鏡筒の外径にかかわらずこれに取り付けることができる。
【０００８】
また、光源保持体と電池保持体とがそれぞれ環状をなし、軸線方向に沿って表裏に重なるように配置してあるので、側方に突出することのない、外観上も操作上も好ましい形状にすることができる。
【０００９】
さらに、電池保持体が光源保持体の裏側に別体で設けられているので、電池交換を容易にできるうえ、この電池交換時に光源保持体に触れてこれを破損するといった不具合をも防止できる。また、着脱のために操作機構を操作しても、電池保持体と光源保持体とは互いに相対位置が変わらないように固定されているので、電池と光源とを接続する電気ケーブル等を動かないようにすることができ、頻繁な着脱操作によっても断線や接触不良などを起こりにくくできる。
【００１０】
コンパクト化の点からも外観上の点からも好ましいのは、光源保持体と電池保持体との軸線を一致させたものである。特に、操作機構の操作によって各把持部材が均等に突出するようにしておけば、取り付けたときの照明装置の軸線が、レンズ鏡筒の軸線に確実に一致するので、撮像範囲と照明範囲との中心を合致させることができる。
【００１１】
該照明装置を可及的前方に装着できるようにするには、前記把持部材が該照明装置のできるだけ裏側、すなわち、前記電池保持体の内周面から突没するように構成しておくことが望ましい。
【００１２】
把持力を発揮させる具体的な態様としては、前記操作機構が、弾性復元力によって前記把持部材を突出方向に付勢する弾性部材をさらに具備しているものを挙げることができる。
【００１３】
このようなものであれば、弾性部材による付勢力に逆らって操作機構を外部操作し、把持部材を没入させてレンズ鏡筒に照明装置を外嵌させた後、操作機構に対する外部操作をやめるだけで、弾性部材によって把持部材が突出付勢され、その把持部材によってレンズ鏡筒が把持されて照明装置を固定することができる。
【００１４】
軸線方向の寸法が大きくなることなく、コンパクトに操作機構を構成するには、前記把持部材が、前記電池保持体に設けられたラジアル方向に延びる第１案内部に沿ってスライドするものであり、前記操作機構が、前記光源保持体及び電池保持体の間に配置されるとともに、軸線を中心に回転可能に構成されたリング操作盤と、前記各把持部材に対応させて前記リング操作盤にそれぞれ設けられた、ラジアル方向に対して斜めに延びる第２案内部と、前記把持部材に設けられて前記第２案内部にスライド可能に係合する係合部とを具備するものであり、前記リング操作盤を回転操作することによって前記第２案内部から前記係合部に伝えられるラジアル方向成分の分力により、前記把持部材が突没するように構成してあることが好ましい。
【００１５】
前記光源保持体と前記電池保持体とを接続するには、例えば、軸線方向に延びる１又は複数のボス部材を設けておけばよい。この場合、前記リング操作盤には、その回転操作範囲内で前記ボス部材が貫通する所定幅の部分円弧状をなす貫通孔が設けられることとなるが、このボス部材を利用すれば、光源と電池とを接続する電気ケーブルが回転操作によってリング操作盤に噛み込むといった不具合を特別な機構を設けることなく防止できる。
すなわち、前記電池と光源とを接続する電気ケーブルを前記ボス部材に沿わせて前記貫通孔を貫通させておけばよい。
【００１６】
弾性部材を各把持部材に対応させて複数設けることなく、単一でも機能できるようにするには、前記弾性部材が、前記リング操作盤と前記操作盤との間に架け渡されてその弾性復元力により、該リング操作盤を前記把持部材が突出する方向に回転付勢するものであることが望ましい。
【００１７】
リング操作盤を無理なく回転支持できるようにするには、前記光源保持体と前記電池保持体との間にこれらと軸線が一致する円筒部材を設け、該円筒部材に前記リング操作盤を回転可能に装着しておけばよい。また、この円筒部材によって、光源からの迷光が、該照明装置の内周に漏れ出ることを防止でき、カメラ等による撮像や観察への悪影響を可及的に低減できる。
【００１８】
外観的に好ましい具体的態様としては、全体として所定厚みを有する概略円環状をなすものであり、実質的に把持部材のみが内周面から突出するように構成してあるものを挙げることができる。
【発明の効果】
【００１９】
このように構成した本発明によれば、複数の把持部材が内周面から突出してレンズ鏡筒を周囲から把持するので、レンズ鏡筒の外径にかかわらずこれに取り付けることができる。
また、光源保持体と電池保持体とがそれぞれ環状をなし、軸線方向に沿って配置してあるので、側方に突出することのない、取り扱い上も外観上も好ましい形状にすることができる。
【００２０】
さらに、電池保持体が光源保持体の裏側に別体で設けられているので、光源保持体に触れることなく電池交換を容易できる。また、操作機構を操作しても、電池保持体と光源保持体とは互いに相対位置が変わらないように固定されているので、電池と光源とを接続する電気ケーブル等が動かないようにすることができ、経年使用による接触不良などの不具合を回避できる。
【図面の簡単な説明】
【００２１】
【図１】本発明の一実施形態における照明装置をレンズ鏡筒に取り付けた状態を示す斜視図。
【図２】同実施形態における照明装置の分解斜視図。
【図３】同実施形態における光源保持体の裏面から視た斜視図。
【図４】同実施形態における光源保持体、電池保持体及びリング操作盤を組み立てたときの裏面から視た斜視図。
【図５】同実施形態における照明装置の表面方向から視た図（正面図）。
【図６】同実施形態における光源保持体及びリング操作盤を組み立てたときの裏面から見た斜視図。
【図７】同実施形態における照明装置の動作を示す表面方向から視た動作説明図。
【発明を実施するための形態】
【００２２】
以下に本発明に係る照明装置１００の一実施形態について図面を参照して説明する。
【００２３】
この照明装置１００は、図１に示すように、カメラ等のレンズ鏡筒Ｒに外嵌して取り付けられる所定厚みを有した円環状をなすものであり、光源保持体１、電池保持体２、把持部材３及び操作機構４を具備してなる。以下に各部を説明する。
【００２４】
光源保持体１は、図２、図３に示すように、薄肉の円盤状をなすもので、内部に光源たるチップ型ＬＥＤ５を複数保持する。具体的に説明すると、この光源保持体１の裏面には、有底のＬＥＤ保持穴１ａが軸線を中心に回転対称（ここでは等間隔）に設けてあり、このＬＥＤ保持穴１ａに前記ＬＥＤ５が裏面側から嵌め込まれて固定される。このＬＥＤ保持穴１ａの底面中心部には、それぞれ光射出孔１ｂが貫通させてあり、これら表面側に開口する光射出孔１ｂから、ＬＥＤ５の光がカメラ前方に向かって射出されるように構成してある。なお、この実施形態では、特に断らない限り、表面とは軸線方向における光射出方向を示し、裏面とは軸線方向における反光射出方向を示すものとする。
【００２５】
電池保持体２は、図２、図４に示すように、所定の厚みを有するとともに、その外径が前記光源保持体１の外径と略一致するように構成したものであり、前記光源保持体１の裏面側に軸線を一致させて固定してある。より具体的には、光源保持体１の内周縁部から円筒部材６が一体に裏面側に延出させてあり、この円筒部材６に電池保持体２の内周面がガタ無く嵌合して軸線が一致するように構成してある。また、光源保持体１の裏面外周縁部の複数箇所（ここでは３箇所）からは、柱状のボス部材７が軸線方向に突出させてあり、このボス部材７に該電池保持体２がネジ止め固定されるように構成してある。
【００２６】
一方、この電池保持体２の内部には、壁に仕切られた３つの部屋２ａ、２ｂ、２ｃが設けられている。そのうち、第１の部屋２ａ及び第２の部屋２ｂは、裏面側に開口させてあり、残りの１つである第３の部屋２ｃは、表面側に開口させてある。第１の部屋２ａにはボタン型電池ＰＳ及びその電極に接触させた図示しない端子板等が収容され、第２の部屋２ｂには、スイッチＳＷなどの電装品が収容されている。また、第３の部屋２ｃには後述する弾性部材たるコイルバネ８が収容されている。
【００２７】
さらに、各部屋２ａ、２ｂ、２ｃの間には、裏面及び内周面に開口させたラジアル方向に延びる有底溝２ｄが形成してある。この有底溝２ｄは、軸線方向から視て等間隔に３つが設けてある。なお、前記円筒部材６には、この有底溝２ｄの内周面側の開口を閉塞することがないように、対応する箇所にそれぞれ切り欠き（乃至貫通孔）６ａが設けてある。また、この電池保持体２の裏面は、着脱可能なリング円盤状の蓋部材２１によってカバーされるようにしてある。
【００２８】
把持部材３は、軸線方向に所定厚みを有した概略直方体状をなすものであり、前記各有底溝２ｄに裏面側からガタ無く嵌まり込んで、ラジアル方向にのみ移動し、電池保持体２の内周面から突没できるように構成してある。そして、突出時にその先端でレンズ鏡筒Ｒを外側から把持する。しかして、該有底溝２ｄの側面２ｄ１が請求項で言う第１案内部の機能を果たす。
【００２９】
各把持部材３の先端は、図５等に示すように、軸線方向から視て中央が凹むように構成してあり、異なる径のレンズ鏡筒Ｒであっても、各把持部材３の先端の２箇所が必ずレンズ鏡筒Ｒの外周に接触し、安定して把持できるように設計してある。なお、先端を凹まさず、突出させることによって、各把持部材３の先端の１箇所のみがレンズ鏡筒Ｒの外周に接触するように構成してもよい。
【００３０】
操作機構４は、図２、図６に示すように、前記光源保持体１及び電池保持体２の間に配置されるとともに、軸線を中心に回転可能に構成されたリング操作盤４１と、前記各把持部材３に対応させて前記リング操作盤４１にそれぞれ設けられた、ラジアル方向に対して斜めに延びる第２案内部たる案内溝４２と、前記把持部材３に設けられて前記案内溝４２にスライド可能に係合する係合部４３とを具備するものである。
各部を詳述する。
【００３１】
リング操作盤４１は、外径が前記光源保持体１及び電池保持体２と略同一若しくはこれらよりもわずかに大きいものであり、その中心孔４１ａが前記円筒部材６に外嵌した状態で、光源保持体１及び電池保持体２の間に、外周面において略隙間なく挟まれるようにして保持される。より具体的に説明すると、このリング操作盤４１は、前記中心孔４１ａを有する薄肉円盤状をなす中心板４１１と、この中心板４１１の周囲に一体に設けられた、軸線方向には中心板４１１よりも厚くラジアル方向には薄肉の外周操作リング４１２とを具備したものであり、前記外周操作リング４１２が中心板４１１よりも軸線方向に突出するように構成してある。そして、その外周操作リング４１２の突出部位における内周面４１ｃが、前記光源保持体１の裏面周縁部に設けた段部外周面１ｃ及び前記電池保持体２の表面周縁部に設けた段部外周面２ｅにガタ無く嵌合する。
【００３２】
なお、この中心板４１１には、その回転操作範囲内で前記ボス部材７を貫通させる、部分円弧状をなす所定幅の貫通孔４１１ａが設けてあり、前記電池ＰＳとＬＥＤ５とを接続する電気ケーブル（図示しない）が、前記ボス部材７に沿うようにして前記貫通孔４１１ａを貫通させてある。そのために、図３に示すように、一部（２つ）のボス部材７の外側周面には、軸線方向に延びるケーブル保持用の有底溝７ａが設けてある。
【００３３】
前記案内溝４２は、中心板４１１の厚み方向に貫通するように設けられた部分螺旋状をなす所定幅のものであり、各把持部材３に対応して複数（ここでは３つ）が等間隔かつ回転対称に設けてある。
【００３４】
係合部４３は、図２に示すように、前記把持部材３の表面側から一体に突出させた柱状をなすものであり、この係合部４３が、前記有底溝２ｄの底面に設けたスリット２ｄ２を貫通して前記案内溝４２にスライド可能に挿通するように構成してある。
【００３５】
しかして、かかる構成のリング操作盤４１を回転操作すると、前記案内溝４２に沿って前記係合部４３がスライドする際に、この係合部４３を介して各把持部材３にラジアル方向の分力が作用し、各把持部材３が、有底溝２ｄに沿ってラジアル方向に均等に突没することとなる。
【００３６】
さらにこの実施形態では、図７に示すように、前記リング操作盤４１と前記電池保持体２との間に架け渡されてその弾性復元力により該リング操作盤４１を前記把持部材３が突出する方向に回転付勢する弾性部材たるコイルバネ８を設けている。このコイルバネ８は、前述したように、前記電池保持体２に設けられた表面側に開口する第３の部屋２ｃに収容されている。そして、その一端が第３の部屋２ｃに設けた軸線方向に延びる第１支持柱８１に掛けられ、その他端が前記リング操作盤４１の裏面から突出する第２支持柱８２に掛けられて、常に収縮方向の弾性復元力が作用し、外力が作用しない状態では、その弾性復元力によって把持部材３が最大まで突出した状態となるように構成してある。
【００３７】
次に、このような構成の照明装置１００の取付方法等について説明する。
まず、リング操作盤４１を、前記コイルバネ８による弾性付勢力に逆らって回転操作し、把持部材３をある程度没入させる。そして、その状態でレンズ鏡筒Ｒの所望位置に照明装置１００を外嵌させる。その後、コイルバネ８の弾性復元力が作用するように、リング操作盤４１への操作をやめるか操作力を弱める。
【００３８】
そうすると、コイルバネ８の弾性復元力によってリング操作盤４１が逆方向に回転し、把持部材３を突出付勢する。そして、その突出した把持部材３の先端によってレンズ鏡筒Ｒが把持されて照明装置１００が固定される。
【００３９】
したがって、かかる構成によれば、把持部材３が操作機構４の操作によって突出してレンズ鏡筒Ｒを周囲から把持するので、レンズ鏡筒Ｒの外径にかかわらずこれに取り付けることができ、しかも、各把持部材３が均等に突出するので、取り付けたときの照明装置１００の軸線をレンズ鏡筒Ｒの軸線に一致させることができる。特に本実施形態では、各把持部材３が軸線方向に所定厚みを有し、しかも各把持部材３の先端は、軸線方向から視て、中央が凹むように構成してあって、その先端の２箇所が必ずレンズ鏡筒Ｒの外周に接触するので、照明装置１００の姿勢を、その光照射面がレンズ鏡筒Ｒの軸線と確実に垂直になるように安定して保持することができる。
【００４０】
また、この照明装置１００が、全体として厚みを有する概略円環状をなし、外側方及び軸線方向に実質的にほとんど突出する部位がないものであるため、不測の引っ掛かり等を防止できるなど取り扱い上も外観上も好ましいものにできる。
【００４１】
さらに、電池保持体２が光源保持体１の裏側に別体で設けられており、蓋部材２１を外すだけで電池ＰＳ交換を容易できるうえ、電池ＰＳ交換等で光源保持体１に触れてこれを破損するといった不具合をも防止できる。
【００４２】
また、前記把持部材３が該照明装置１００のできるだけ裏側、すなわち、前記電池保持体２の内周面から突没するように構成してあるので、該照明装置１００の光照射面をレンズ鏡筒Ｒから突出させて装着することが可能になる。
【００４３】
さらに、前記光源保持体１と前記電池保持体２とを接続するボス部材７に沿わせて電気ケーブルを配線しているので、回転操作によってこの電気ケーブルがリング操作盤４１に噛み込むといった不具合を特別な機構を設けることなく防止できる。
【００４４】
また、たとえば、有底溝２ｄ内にそれぞれバネを装着するなどして、各把持部材３に対応させてそれぞれ弾性部材を設けるといった態様でも構わないが、本実施形態によれば、前記リング操作盤４１と前記操作盤との間にコイルバネ８を架け渡しているので、単一の弾性部材で構成でき、部品の削減に寄与できる。
【００４５】
加えて、円筒部材６によって、ＬＥＤ５からの迷光が、該照明装置１００の内周に漏れ出ることを防止できるので、カメラ等による撮像や観察への悪影響を可及的に低減できる。
なお、本発明は前記実施形態に限られるものではない。
【００４６】
例えば、リング操作盤ではなく、レバーなどを用いてもよいし、コイルバネなどの弾性部材を使うことなく、摩擦力で把持部材を突出状態に保持してレンズ鏡筒に取り付けられるようにした構成でも構わない。
【００４７】
また、把持部材は２つでもよい。ただし、その場合は、前記実施形態のように、把持部材の先端が複数に分かれているなどの構成が必要となる。要すれば、レンズ鏡筒の３箇所以上の箇所に把持部材が接触し、かつ、軸方向から視て前記接触箇所を環状に結んだ線がレンズ鏡筒の中心を囲むように設定されていればよい。
さらに把持部材は、ラジアル方向の成分を含んだ方向に突没すれば良く、例えばラジアル方向に対して斜めの方向に突没するようなものでも構わない。さらに、ＬＥＤのみならず、有機ＥＬなど、その他の光源を利用しても構わない。
その他、本発明は前記実施形態に限られず、その趣旨を逸脱しない範囲で種々の変形が可能であるのは言うまでもない。
【符号の説明】
【００４８】
１００・・・照明装置
Ｒ・・・レンズ鏡筒
ＰＳ・・・電池
１・・・光源保持体
１ｂ・・・光射出孔
２・・・電池保持体
２ｄ１・・・第１案内部（有底溝の側面）
３・・・把持部材
４・・・操作機構
４１・・・リング操作盤
４２・・・第２案内部（案内溝）
４３・・・係合部
４１１ａ・・・貫通孔
６・・・円筒部材
７・・・ボス部材
８・・・弾性部材（コイルバネ）
【図１】
2013195999.tif 000003
【図２】
2013195999.tif 000004
【図３】
2013195999.tif 000005
【図４】
2013195999.tif 000006
【図５】
2013195999.tif 000007
【図６】
2013195999.tif 000008
【図７】
2013195999.tif 000009